(57)【要約】【課題】目隠し塀の内側で圧迫感を軽減できるとともに、内側への採光性や通風性を十分に確保できる目隠し塀付き建物を提供する。【解決手段】外壁１と所定間隔をあけて、かつこの外壁１に設けられた出入口８に対向して、通風可能な目隠し塀２が設けられ、目隠し塀２は地盤Ｇからの高さが、一般的な大人の身長より高くなっており、外壁１と目隠し塀２との間に、出入口８から出入り可能なデッキ１０が基礎１１より高い位置に設けられ、１階の床２０は、基礎１１に設置された床本体２１と、この床本体２１の一部の上方に設けられるとともに、出入口８が設けられた外壁１を挟んで、デッキ１０と等しい高さに設けられた高床２２とを備えている。【選択図】図１
2010077594.tif 000002
【特許請求の範囲】
【請求項１】
１階の外壁の外側に、この外壁と所定間隔をあけて、かつこの外壁に設けられた出入口に対向して、通風可能な目隠し塀が設けられた目隠し塀付き建物において、
前記目隠し塀は地盤からの高さが、一般的な大人の身長より高くなっており、
前記外壁と目隠し塀との間には、前記出入口から出入り可能なデッキが建物の基礎より高い位置に設けられており、
前記建物の１階の床は、前記基礎に設置された床本体と、この床本体の一部の上方に設けられるとともに、前記出入口が設けられた外壁を挟んで、前記デッキと等しい高さに設けられた高床とを備えていることを特徴とする目隠し塀付き建物。
【請求項２】
請求項１に記載の目隠し塀付き建物において、
前記デッキと地盤との間が収納部となっており、前記デッキの側方側に、前記収納部への出入口が設けられていることを特徴とする目隠し塀付き建物。
【請求項３】
請求項１または２に記載の目隠し塀付き建物において、
前記デッキの側方側には、前記地盤から前記デッキに至る階段が設けられていることを特徴とする目隠し塀付き建物。
【請求項４】
請求項１〜３のいずれか一項に記載の目隠し塀付き建物において、
前記基礎と前記高床との間には、この高床の下方空間と外部とを連通する開口部が設けられており、
前記高床と前記床本体との間には、前記高床の下方空間と、前記床本体上の空間とを連通する開口部が設けられていることを特徴とする目隠し塀付き建物。
【請求項５】
請求項１〜４のいずれか一項に記載の目隠し塀付き建物において、
前記高床の下方には、前記床本体を貫通して該床本体の床下に拡がる床下収納部が設けられていることを特徴とする目隠し塀付き建物。
【発明の詳細な説明】
【技術分野】
【０００１】
本発明は、１階の外壁の外側に、この外壁と所定間隔をあけて、かつこの外壁に設けられた出入口に対向して、通風可能な目隠し塀が設けられた目隠し塀付き建物に関する。
【背景技術】
【０００２】
目隠し塀を備えた建物の一例として特許文献１に記載のものが知られている。この建物は、浴室に隣接して、この浴室から直接出入り可能でかつ天井部が開放されたオープンコートが設けられており、このオープンコートは、建物の外壁によってその一部が囲まれており、該オープンコートの、前記建物の外壁によって囲まれた一部以外の部分には、目隠し塀が設けられているものである。
目隠し塀は、建物外壁より若干外側位置に設けられており、これによって、オープンコートはその前面側から覗かれないようになっている。目隠し塀は、内側からは透光性を有し、かつ外側からは透光性を有しないマジックガラスや、厚さ方向に多数の開口が形成された樹脂板で構成し、外側からの視線が直接的にオープンコート内に届かない程度の透光性を有したもの等で構成されている。
【特許文献１】特開平８−２７０２３５号公報
【発明の開示】
【発明が解決しようとする課題】
【０００３】
ところで、上記のような目隠し塀を備えた建物では、外側から内側を覗かれないようにするために、目隠し塀の高さを一般的な大人の身長より高くしているので、目隠し塀の内側はこの目隠し塀によって圧迫感を受けたり、内側への採光性や通風性が十分でないという課題あった。
【０００４】
本発明は上記事情に鑑みてなされたもので、目隠し塀の内側で圧迫感を軽減できるとともに、内側への採光性や通風性を十分に確保できる目隠し塀付き建物を提供することを課題としている。
【課題を解決するための手段】
【０００５】
上記課題を解決するために、請求項１に記載の発明は、例えば図１〜図５に示すように、１階の外壁１の外側に、この外壁１と所定間隔をあけて、かつこの外壁１に設けられた出入口８に対向して、通風可能な目隠し塀２が設けられた目隠し塀付き建物において、
前記目隠し塀２は地盤Ｇからの高さが、一般的な大人の身長より高くなっており、
前記外壁１と目隠し塀２との間には、前記出入口８から出入り可能なデッキ１０が建物の基礎１１より高い位置に設けられており、
前記建物の１階の床２０は、前記基礎１１に設置された床本体２１と、この床本体２１の一部の上方に設けられるとともに、前記出入口８が設けられた外壁１を挟んで、前記デッキ１０と等しい高さに設けられた高床２２とを備えていることを特徴とする。
【０００６】
請求項１に記載の発明によれば、外壁１と目隠し塀２との間には、前記出入口８から出入り可能なデッキ１０が建物の基礎１１より高い位置に設けられているので、デッキ１０から目隠し塀２の上端までの高さが、地盤Ｇから目隠し塀２の上端までの高さより低くなる。したがって、目隠し塀２の内側のデッキ１０からは目隠し塀２の圧迫感を軽減できるとともに、外側からは高い目隠し塀２となり、防犯上好ましいものとなる。また、デッキ１０上に立つ人は目隠し塀２の上から外側を見ることもでき、外側への見通しがよくなる。
また、床本体２１の一部の上方に設けられた高床２２がデッキ１０と等しい高さとなっているので、目隠し塀２を抜けた空気や光は、デッキ１０上、外壁１に設けられた出入口８、高床２２上を通って、床本体２１上の高床２２がない部分の部屋内にスムーズに入り、よって、採光性や通風性を十分に確保できる。
【０００７】
請求項２に記載の発明は、請求項１に記載の目隠し塀付き建物において、
前記デッキ１０と地盤Ｇとの間が収納部１５となっており、前記デッキ１０の側方側に、前記収納部１５への出入口１６が設けられていることを特徴とする。
【０００８】
請求項２に記載の発明によれば、デッキ１０と地盤Ｇとの間にある収納部１５に、デッキ１０の側方側から出入口１６を通って物を出し入れでき、便利である。
【０００９】
請求項３に記載の発明は、請求項１または２に記載の目隠し塀付き建物において、
前記デッキ１０の側方側には、前記地盤Ｇから前記デッキ１０に至る階段１７が設けられていることを特徴とする。
【００１０】
請求項３に記載の発明によれば、デッキ１０の側方側に階段１７が設けられているので、この階段１７を使用して地盤Ｇとデッキ１０との間を容易に行き来できる。
【００１１】
請求項４に記載の発明は、請求項１〜３のいずれか一項に記載の目隠し塀付き建物において、
前記基礎１１と前記高床２２との間には、この高床２２の下方空間と外部とを連通する開口部３１が設けられており、
前記高床２２と前記床本体２１との間には、前記高床２２の下方空間と、前記床本体２１上の空間とを連通する開口部３３が設けられていることを特徴とする。
【００１２】
請求項４に記載の発明によれば、目隠し塀２の下部を通ってデッキ１０下に流入した外気は、基礎１１と高床２２との間に設けられた開口部３１から高床２２と床本体２１との間に流入し、さらに、高床２２と床本体２１との間に設けられた開口部３３から床本体２１上の空間に流入する。したがって、高床２２と床本体２１との間の換気を行えるとともに、高床２２がない部分の床本体２１上に外気を採り入れることができる。
【００１３】
請求項５に記載の発明は、請求項１〜４のいずれか一項に記載の目隠し塀付き建物において、
前記高床２２の下方には、前記床本体２１を貫通して該床本体２１の床下に拡がる床下収納部３４が設けられていることを特徴とする。
【００１４】
請求項５に記載の発明によれば、高床２２の下方に深さの深い床下収納３４部を設けることができ、高床２２の下方を有効に利用できる。
【発明の効果】
【００１５】
本発明によれば、外壁と目隠し塀との間に、デッキが建物の基礎より高い位置に設けられているので、デッキから目隠し塀の上端までの高さが、地盤から目隠し塀の上端までの高さより低くなる。したがって、目隠し塀の内側のデッキからは目隠しへ塀の圧迫感を軽減できるとともに、外側からは高い目隠し塀となって防犯上好ましいものとなる。また、デッキ上に立つ人は目隠し塀の上から外側を見ることもでき、外側への見通しがよくなる。
また、高床がデッキと等しい高さとなっているので、目隠し塀を抜けた空気や光は、デッキ上、外壁に設けられた出入口、高床上を通って部屋内にスムーズに入り、よって、採光性や通風性を十分に確保できる。
【発明を実施するための最良の形態】
【００１６】
以下図面を参照して本発明の実施の形態について説明する。
図１は本発明に係る目隠し付き建物の要部を示す側断面図、図２は目隠し付き建物の１階の平面図である。
【００１７】
図２に示すように、１階の外壁１の外側には、この外壁１と所定の間隔をあけて、目隠し塀２，３が外壁１と平行に設けられ、また、外壁１と直角に目隠し塀４，５が設けられている。
目隠し塀２は通風性を備えている。すなわち、目隠し塀２は、図１に示すように、断面略コ字型の横材６を水平にして上下に所定間隔で配置するとともに、これら横材６を連結する縦材７を左右に所定間隔で配置してなるものであり、上下に隣り合う横材６，６間を通して通風可能となっている。
また、横材６は断面略コ字型をしているので、その内部にプランタを収納したり、土を入れて植物を直接植えることができるようになっている。また、この目隠し塀２は外壁１に設けられた出入口８に対向して配置されている。出入口８には、この出入口８を開閉する戸８ａが設けられている。
【００１８】
また、図３に示すように、目隠し塀３は表面にタイルが貼り付けられた壁体で構成されており、通風性は備えていない。また、平面視において目隠し塀３と目隠し塀２とは同一直線上に連続して配置されており、目隠し塀３は前記出入口８の側方の外壁部分と対向して配置されている。
目隠し塀４は前記目隠し塀２と同様の構成となっており、平面視において外壁１に対して直角に配置されている。目隠し塀５は目隠し塀３と同様の構成となっており、該目隠し塀５と目隠し塀４とは同一直線上に連続して配置されている。さらに、平面視において目隠し塀５は目隠し塀２と直角に配置されている。
このような目隠し塀２〜５は地盤Ｇからの高さが一般的な大人の身長より高くなっている。例えば、目隠し塀２〜５の地盤からの高さは、１．９ｍ〜２．５ｍ程度となっている。また、目隠し塀２〜５は全て等しい高さとなっている。
【００１９】
前記外壁１と目隠し塀２，３との間には、前記出入口８から出入り可能なデッキ１０が建物の基礎１１より高い位置に設けられている。なお、目隠し塀２〜５のデッキ１０からの高さは１．１ｍ〜１．７ｍ程度となっている。
デッキ１０は、図２および図３に示すように、平面視において左右に長尺な長方形状に形成されており、その下面にはデッキ１０の短辺と平行な根太材１２がデッキ１０の長辺方向に所定間隔で平行に複数本固定されている。根太材１２の両端部は、柱材１３，１３によって下方から支持されており、該柱材１３の下端部は、図４に示すように、地盤Ｇに固定されている。これによって、デッキ１０は基礎１１より高い位置に水平に設けられている。
なお、デッキ１０は、図３に示すように、左右に長尺でかつ、樹脂で押出成形された中空の帯板状の板材を並設することによって形成され、この板材が前記根太材１２に固定されることで、デッキ１０が構成されている。
【００２０】
また、図２および図３に示すように、前記デッキ１０の右側端部には前記目隠し塀４，５が当接または近接しており、デッキ１０の先端部には前記目隠し塀２，３が当接または近接しており、デッキ１０の左側端部は開放されている。
そして、デッキ１０と地盤Ｇとの間は、図１および図４に示すように、収納部１５となっており、前記デッキ１０の左側方側に収納部１５への出入口１６が設けられている。つまり、デッキ１０の左端縁部と地盤Ｇとの間が出入口１６となっている。
【００２１】
また、デッキ１０の左側方には、図４および図５に示すように、地盤Ｇからデッキ１０に至る階段１７が設けられている。この階段１７は、左右２本のささら桁１７ａ，１７ａに段板１７ｂが３段に支持されてなるものであり、ささら桁１７ａ，１７ａの下端部が地盤Ｇに設置されている。また、ささら桁１７ａ，１７ａの上端部は、デッキ１０の下面に固定された、左端部の根太材１２またはこの根太材１２を支持する柱材１３，１３に取外し可能に取り付けられている。つまり、階段１７はデッキ１０に取外し可能に取り付けられている。
そして、階段１７をデッキ１０に取り付けた状態では、前記出入口１６が階段１７によって閉鎖され、階段１７を取り外すことによって、出入口１６が開放されるようになっている。
【００２２】
図１に示すように、建物の１階の床２０は、床本体２１とこの床本体２１の一部の上方に設けられた高床２２とを備えている。なお、床本体２１と高床本体２２との間の距離は４００ｍｍ程度となっている。
床本体２１は基礎１１に設置されており、１階の床２０の大部分を構成する床である。
つまり、１階には、図２に示すように、部屋２３が南側の外壁１に面して設けられ、北側の外壁に面して部屋２４が設けられ、これら部屋２３，２４間に両部屋から使用可能なウォークインクローゼット２５が設けられている。また、部屋２３の東側に玄関２６が設けられ、この玄関２６の北側に階段室２７が設けられ、この階段室２７の北側に洗面室２８および浴室２９が設けられている。
そして、前記床本体２１は、部屋２３の北側約半分の床と東側端部の床、部屋２４の床、ウォークインクローゼット２５の床、玄関２６の玄関ホール床、階段室２７の１階部分の床、洗面室２８の床等を構成している。
【００２３】
前記高床２２は、図１に示すように、前記出入口８が設けられた外壁１を挟んで、デッキ１０と等しい高さに設けられている。この高床２２は床本体２１の上面に適宜設けられた複数の根太材３０によって支持されており、高床２２の外壁１側の端部は、外壁１の内面に当接されている。また、高床２２は、図２に示すように、部屋２３の南側約半分の床を構成しており、この高床２２の東側には、通路部３２が設けられている。この通路部３２の床は前記床本体２１によって構成されている。
【００２４】
また、図１に示すように、基礎１１と高床２２の間には、この高床２２の下方空間（高床２２と床本体２１との間の空間）と外部とを連通する開口部３１が設けられている。具体的には、この開口部３１は、基礎１１上に設置された外壁１の下端部に形成されている。
また、高床２２と床本体２３との間には、高床２２の下方空間（高床２２と床本体２１との間の空間）と、床本体２３上の空間とを連通する開口部３３が設けられている。この開口部３３は、高床２２の右端部（図２において、高床２２の北側縁部）に設けられている。したがって、前記開口部３１から流入した空気（外気）は、高床２２の下方空間を通って開口部３３から流出して、高床２２がない床本体２１上の部屋等に行き渡るようになっている。
【００２５】
さらに、高床２２の下方には床下収納部３４が設けられている。この床下収納部３４は床本体２１を貫通して該床本体２１の床下に拡がる比較的深い収納部であり、例えば８００ｍｍ〜１０００ｍｍ程度となっている。また、床下収納部３４の上端開口には蓋３４ａが取外し可能に設けられている。さらに、床下収納部３４の上端開口は、図２に示すように、高床２２の東側の縁に沿って設けられている。
【００２６】
本実施の形態によれば、外壁１と目隠し塀２との間に、出入口８から出入り可能なデッキ１０が建物の基礎１１より高い位置に設けられているので、デッキ１０から目隠し塀２の上端までの高さが、地盤Ｇから目隠し塀２の上端までの高さより低くなる。したがって、目隠し塀２の内側のデッキ１０からは目隠し塀２の圧迫感を軽減できるとともに、外側からは高い目隠し塀２となって防犯上好ましいものとなる。また、デッキ１０上に立つ人は目隠し塀２の上から外側を見ることもでき、外側への見通しがよくなる。
また、床本体２１の上方の一部に設けられた高床２２がデッキ１０と等しい高さとなっているので、目隠し塀２を抜けた空気や光は、デッキ１０上、外壁１に設けられた出入口８、高床２２上を通って部屋内にスムーズに入り、よって、採光性や通風性を十分に確保できる。
さらに、デッキ１０と高床２２とが等しい高さとなっており段差がないので、建物の内部をデッキ１０との間を行き来し易くなる。
【００２７】
また、デッキ１０と地盤Ｇとの間が収納部１５となっており、デッキ１５の側方側に、収納部１５への出入口１６が設けられているので、デッキ１５の側方側から出入口１６を通って物を出し入れでき、便利である。
さらに、デッキ１０の側方側には、地盤Ｇからデッキ１０に至る階段１７が設けられているので、この階段１７を使用して地盤Ｇとデッキ１０との間を容易に行き来できる。
加えて、基礎１１と高床２２との間には、この高床２２の下方空間と外部とを連通する開口部３１が設けられており、高床２２と床本体２１との間には、高床２２の下方空間と、床本体２１上の空間とを連通する開口部３３が設けられているので、目隠し塀２の下部を通ってデッキ１０下の収納部１５に流入した外気は、前記開口部３１から高床２２と床本体２１との間に流入し、さらに、前記開口部３３から床本体２１上の空間に流入する。したがって、高床２２と床本体２１との間の換気を行えるとともに、高床２２がない床本体２１上に外気を採り入れることができる。
また、高床２２の下方に、床本体２１を貫通して該床本体２１の床下に拡がる床下収納部３４が設けられているので、高床２２の下方に深さの深い床下収納部３４を設けることができ、高床２２の下方を有効に利用できる。
【００２８】
なお、本実施の形態では高床２２の下方に床下収納部３４を設けたが、それ以外でも例えば、高床２２の一部に開口部を形成して、高床２２と床本体２１との間を堀コタツとしてもよい。
また、高床２２と床本体２１との間に引出しを挿入し、この引出しを高床２２の縁部側から引き出せるようにしてもよい。
【図面の簡単な説明】
【００２９】
【図１】本発明に係る目隠し付き建物の一例を示すもので、その要部を示す側断面図である。
【図２】同、目隠し付き建物の１階の平面図である。
【図３】同、デッキを示す平面図である。
【図４】同、デッキを示す正面図である。
【図５】同、デッキ用の階段を示す正面図である。
【符号の説明】
【００３０】
１  外壁
２  目隠し塀
８  出入口
１０  デッキ
１１  基礎
１５  収納部
１６  出入口
１７  階段
２０  １階の床
２１  床本体
２２  高床
３１  開口部
３３  開口部
３４  床下収納部
【図１】
2010077594.tif 000003
【図２】
2010077594.tif 000004
【図３】
2010077594.tif 000005
【図４】
2010077594.tif 000006
【図５】
2010077594.tif 000007